(57)【特許請求の範囲】
【請求項１】
複数対の栓刃挿入口が前面に開口した長尺形状のハウジングと、ハウジング内に納装されて各栓刃挿入口より挿入する栓刃を受ける複数対の刃受と、各刃受と接続されてハウジングの外に引き出されるコードと、コードの先端に付設されるプラグと、ハウジングの側面に設けられてハーネスプラグが挿抜自在に接続されるハーネスコネクタ部とを備え、ハーネスコネクタ部を栓刃と電気的に接続してなり、複数対の刃受の内で同極の刃受同士を導電体で連結してなる複数の刃受ブロックと、各刃受ブロックを収納する中ケースとでコンセントコアブロックを構成し、複数のコンセントコアブロックがハウジング内に隣接して納装され、コンセントコアブロックは各導電体の端部に設けられて中ケースの外部に突出する複数の接続片を有し、隣接するコンセントコアブロックの接続片同士をかしめ鋲によって各接続片に接続される端子板により接続し、ハウジングは、前面に栓刃挿入口が露出するカバー及びカバーが前面に被着されるボディにより形成され、ハーネスコネクタ部は、隣接するコンセントコアブロックの各導電体と電気的に接続されるとともにハーネスプラグが具備する接触子を受ける複数の受け部と、コネクタボディ及びコネクタカバーを結合してなり複数の受け部を収納するコネクタケースとを備え、ボディに設けられた係合部及びコネクタカバーに設けられた被係合部から成り、コネクタボディとコネクタカバーを結合状態した状態でコネクタケースをボディに収納することでコネクタボディとコネクタカバーとの結合状態を保持する保持手段を設けたことを特徴とするコンセント装置。
【請求項２】
隣接するコンセントコアブロックの接続片が、コンセントコアブロックの並び方向と直交する方向で一列に並べて設けられたことを特徴とする請求項１記載のコンセント装置。
【請求項３】
コードが有する複数の電線をかしめ接続する電線接続部が何れかのコンセントコアブロックの導電体の端部に設けられ、中ケースより突出する各電線接続部が、コンセントコアブロックの並び方向と直交する方向で一列に並べて設けられたことを特徴とする請求項１又は２記載のコンセント装置。
【請求項４】
コードが有する複数の電線をねじ止めにより接続する電線接続部が何れかのコンセントコアブロックの導電体の端部に設けられたことを特徴とする請求項１又は２記載のコンセント装置。
【請求項５】
前面に栓刃挿入口が露出するカバー及びカバーが前面に被着されるボディによりハウジングが形成され、前面に栓刃挿入口が開口する中カバー及び中カバーが前面に被着される中ボディにより中ケースが形成され、中ボディ又は外ボディと中カバーとで挟持して固定される固定片を少なくとも何れか一つの刃受ブロックに設けたことを特徴とする請求項１〜３の何れかに記載のコンセント装置。
【請求項６】
ハーネスコネクタ部はハウジングより一部が突出するように設けられ、ハウジングから突出するハーネスコネクタ部を保護する保護部をハウジングの両側面に設けたことを特徴とする請求項１〜５の何れかに記載のコンセント装置。
【請求項７】
保護部の先端にハーネスプラグをハーネスコネクタ部に誘い込むガイド部を設けたことを特徴とする請求項６記載のコンセント装置。
【請求項８】
ハウジングの両側面の保護部を連結するようにハウジングの背面にも保護部を設けたことを特徴とする請求項６又は７記載のコンセント装置。
【発明の詳細な説明】
【０００１】
【発明の属する技術分野】
本発明は、差込プラグを差込接続する複数のコンセントを備えたコンセント装置に関するものである。
【０００２】
【従来の技術】
図１７は従来のコンセント装置の一例を示しており、３極の差込プラグ（図示せず）と接続する複数対（図示例では８対）の栓刃挿入口７１ａ，７１ｂ，７１ｃがハウジング７０の前面に設けられている。ここで、説明を簡単にするために３つの栓刃挿入口７１ａ〜７１ｃからなる各組をコンセント口７１と呼ぶことにする。コンセント口７１は長尺のハウジング７０前面に一列に並べて設けられており、各コンセント口７１の栓刃挿入口７１ａ〜７１ｃに挿入される栓刃を受ける刃受７２がハウジング７０内に納装されている（図１８参照）。
【０００３】
複数の刃受７２の内で同極の刃受７２同士を４つずつ導電体７３で連結して複数の刃受ブロックが形成され、さらに同極の刃受ブロック同士がリード線７４によって接続されている。また、ハウジング７０の片側に納装される３つの刃受ブロックにはそれぞれ図示しないコードが有する電線が接続され、ハウジング７０の側面に設けたコード引き出し部７０ａよりコードが引き出されている。そして、コードの先端に付設されたプラグを壁に配設されたコンセント（以下、壁コンセントと呼ぶ）に差込接続することにより、各コンセント口７１に接続される機器に給電されるものである。
【０００４】
【発明が解決しようとする課題】
ところで複数台の機器が集中して配置される場合、例えばラックマウント型のコンピュータやルータ等のネットワーク機器をラックに収納する場合においては、多数の機器に対応してコンセント口の数を増やす必要がある。上記従来例の場合、複数のコンセント装置をそれぞれ壁コンセントに接続するか、あるいは壁コンセントに接続されたコンセント装置のコンセント口７１に他のコンセント装置のプラグを接続することで送り配線していた。
【０００５】
しかしながら、上述のような送り配線を行うとコンセント装置のコンセント口７１が送り配線用に使用されることで機器用のコンセント口７１が減ってしまい、使い勝手が良くないという問題があった。
【０００６】
また、同極の刃受ブロック同士をリード線７４で接続しているため、接続された刃受ブロック同士の位置が安定せず、ハウジング７０内への組み込み作業がやりづらいという問題があった。
【０００７】
請求項１の発明は、上記問題に鑑みて為されたものであり、その目的は、使い勝手を向上し、且つ刃受ブロックの組み込み作業が容易に行えるコンセント装置を提供することにある。
【０００９】
【課題を解決するための手段】
請求項１の発明は、上記目的を達成するために、複数対の栓刃挿入口が前面に開口した長尺形状のハウジングと、ハウジング内に納装されて各栓刃挿入口より挿入する栓刃を受ける複数対の刃受と、各刃受と接続されてハウジングの外に引き出されるコードと、コードの先端に付設されるプラグと、ハウジングの側面に設けられてハーネスプラグが挿抜自在に接続されるハーネスコネクタ部とを備え、ハーネスコネクタ部を栓刃と電気的に接続してなり、複数対の刃受の内で同極の刃受同士を導電体で連結してなる複数の刃受ブロックと、各刃受ブロックを収納する中ケースとでコンセントコアブロックを構成し、複数のコンセントコアブロックがハウジング内に隣接して納装され、コンセントコアブロックは各導電体の端部に設けられて中ケースの外部に突出する複数の接続片を有し、隣接するコンセントコアブロックの接続片同士をかしめ鋲によって各接続片に接続される端子板により接続し、ハウジングは、前面に栓刃挿入口が露出するカバー及びカバーが前面に被着されるボディにより形成され、ハーネスコネクタ部は、隣接するコンセントコアブロックの各導電体と電気的に接続されるとともにハーネスプラグが具備する接触子を受ける複数の受け部と、コネクタボディ及びコネクタカバーを結合してなり複数の受け部を収納するコネクタケースとを備え、ボディに設けられた係合部及びコネクタカバーに設けられた被係合部から成り、コネクタボディとコネクタカバーを結合状態した状態でコネクタケースをボディに収納することでコネクタボディとコネクタカバーとの結合状態を保持する保持手段を設けたことを特徴とする。
【００１１】
請求項２の発明は、請求項１の発明において、隣接するコンセントコアブロックの接続片が、コンセントコアブロックの並び方向と直交する方向で一列に並べて設けられたことを特徴とする。
【００１２】
請求項３の発明は、請求項１又は２の発明において、コードが有する複数の電線をかしめ接続する電線接続部が何れかのコンセントコアブロックの導電体の端部に設けられ、中ケースより突出する各電線接続部が、コンセントコアブロックの並び方向と直交する方向で一列に並べて設けられたことを特徴とする。
【００１３】
請求項４の発明は、請求項１又は２の発明において、コードが有する複数の電線をねじ止めにより接続する電線接続部が何れかのコンセントコアブロックの導電体の端部に設けられたことを特徴とする。
【００１４】
請求項５の発明は、請求項１〜３の何れかの発明において、前面に栓刃挿入口が露出するカバー及びカバーが前面に被着されるボディによりハウジングが形成され、前面に栓刃挿入口が開口する中カバー及び中カバーが前面に被着される中ボディにより中ケースが形成され、中ボディ又は外ボディと中カバーとで挟持して固定される固定片を少なくとも何れか一つの刃受ブロックに設けたことを特徴とする。
【００１６】
請求項６の発明は、請求項１〜５の何れかの発明において、ハーネスコネクタ部はハウジングより一部が突出するように設けられ、ハウジングから突出するハーネスコネクタ部を保護する保護部をハウジングの両側面に設けたことを特徴とする。
【００１７】
請求項７の発明は、請求項６の発明において、保護部の先端にハーネスプラグをハーネスコネクタ部に誘い込むガイド部を設けたことを特徴とする。
【００１８】
請求項８の発明は、請求項６又は７の発明において、ハウジングの両側面の保護部を連結するようにハウジングの背面にも保護部を設けたことを特徴とする。
【００１９】
【発明の実施の形態】
以下、本発明の実施形態を図面を参照して詳細に説明する。
【００２０】
図１〜図４に示すように、合成樹脂により長尺の矩形箱形に形成されたハウジング１は一面が開口するボディ２と、ボディ２の前面に被着されるカバー３とを組立ねじ４により結合して構成される。このハウジング１内には３つの刃受ブロック１４１，１５１，１６１を収納したコンセントコアブロック１０１と、同じく３つの刃受ブロック１４２，１５２，１６２を収納したコンセントコアブロック１０２とが長手方向に並べて納装される。
【００２１】
一方のコンセントコアブロック１０１は、先端に接地極付きの差込プラグ（後述する）又はハーネスプラグ（後述する）が付設されたコード８０が有する３つの電線２１にそれぞれ接続する刃受ブロック１４１，１５１，１６１と、これらの刃受ブロック１４１，１５１，１６１を収納する中ケース１１とを備える。なお、中ケース１１は一面が開口する箱状に形成された中ボディ１２と、３つの栓刃挿入口２８ａ，２８ｂ，２８ｃを一組とするコンセント口２８が４組設けられて中ボディ１２の前面に被着される中カバー１３とで構成される。
【００２２】
刃受ブロック１４１は、図７に示すように帯板状の導電体１９１の一端部に電線２１をかしめ接続する電線接続部２０が設けられ、他端部には他方のコンセントコアブロック１０２の刃受ブロック１４２，１５２，１６２と接続するための端子板１７をかしめ鋲１８で接続する接続片２２が設けられている。電線接続部２０は略Ｕ字形に形成されており、電線２１の被覆を剥いて露出した芯線を電線接続部２０の内側に収めてかしめることにより刃受ブロック１４１と電線２１が接続される。
【００２３】
また導電体１９１には４つの刃受２３が一体に設けられている。各刃受２３は、一端側が略円弧状に形成されて互いに対向し且つ他端側がコ字状に連結された一対の刃受ばね２４１，２４２を具備し、一方の刃受ばね２４２には差込プラグの栓刃に設けられた抜け止め孔に嵌合する抜け止め突起２４ａが突設されている。さらに導電体１９１には中ボディ１２に設けたリブ３０と嵌合して刃受ブロック１４１を位置決めする複数の位置決め溝１９ａが設けられている。
【００２４】
図８に示すように、刃受ブロック１５１も刃受ブロック１４１とほぼ共通の構成を有しており、一端部に電線接続部２０が設けられるとともに他端部に接続片２２が設けられた導電体１９２と、導電体１９２に一体に設けられた４つの刃受２３で構成される。そして、これら２つの刃受ブロック１４１，１５１には電圧極の電線２１が接続される。
【００２５】
また図９に示すように、刃受ブロック１６１も刃受ブロック１４１，１５１とほぼ共通の構成を有しており、一端部に電線接続部２０が設けられるとともに他端部に接続片２２が設けられた導電体１９３と、導電体１９３に一体に設けられた４つの刃受２５で構成される。各刃受２５は、コ字状の連結部２５ａの先端に互いに対向する円弧状の刃受ばね２６１，２６２を設けてなり、差込プラグの接地極の栓刃に対応して刃受ばね２６１，２６２の間隔が他の刃受ブロック１４１，１５１の刃受ばね２４１，２４２の間隔よりも広くなっており、抜け止め突起も設けられていない。なお、刃受ブロック１６１は接地極用であるから、他の電圧極用の刃受ブロック１４１，１５１に対して導電体１９３及び刃受２５を形成する板材の厚みを薄くしてコストダウンを図っている。ここで、刃受２５の薄肉化に伴う変形等を防止するため、刃受２５の連結部２５ａには中ボディ１２と中カバー１３あるいはボディ２と中カバー１３との間で挟持される固定片２７が突設されている。
【００２６】
一方、中ボディ１２には図１に示すように略Ｓ字型の隔壁２９が長手方向に等間隔で４つ並べて設けられており、それぞれの隔壁２９の内側収納部２９ａ，２９ｂに電圧極用の刃受ブロック１４１，１５１の刃受２３がそれぞれ収納される。なお、中ボディ１２の隔壁２９に挟まれた部分の底面には円形の挿通孔３４が形成されている。
【００２７】
各隔壁２９と長手方向に沿った一対の側壁１２ａ、１２ｂとの間には各々隙間が設けられており、それぞれの隙間に刃受ブロック１４１，１５１の導電体１９１，１９２が挿入される。このとき、図１３に示すように側壁１２ａ，１２ｂより突設されているリブ３０に導電体１９１，１９２の位置決め溝１９ａが嵌合して刃受ブロック１４１，１５１の中ボディ１２に対する位置決めがなされる。
【００２８】
ここで、一方の側壁１２ｂの外側には接地極用の刃受ブロック１６１を部分的に収納する収納部３１が設けてある。この収納部３１には３つの刃受２５を含む導電体１９３の一部が収納され、収納部３１の一端側を塞ぐように設けられた側壁１２ｂのコ字状部１２ｃと収納部３１の壁３１ａとの隙間３２から電線接続部２０と刃受２５を含む導電体１９３の一端部が中ボディ１２の外に引き出されている（図１３参照）。中ボディ１２の外に引き出された刃受２５と対向する側壁１２ｂの外側面には、当該刃受２５が嵌合する凹溝３３が形成されている。なお、中ボディ１２の長手方向に対向する両側面には刃受ブロック１４１，１５１の両端部に形成されている電線接続部２０並びに接続片２２をそれぞれ中ボディ１２の外へ引き出すための切り溝３５が設けられている。また収納部３１には、３つの刃受２５の連結部２５ａにそれぞれ設けられた固定片２７が載置される３つの固定リブ３６と、２つの位置決め溝１９ａに嵌合する２つのリブ３７とが設けてある。
【００２９】
而して、３つの刃受ブロック１４１，１５１，１６１を中ボディ１２に収納すると、図１３に示すように中ボディ１２の一端側においては各刃受ブロック１４１，１５１，１６１の電線接続部２０が中ボディ１２の短手方向に沿って一列に並んだ状態で配置され、中ボディ１２の他端側においては各刃受ブロック１４１，１５１，１６１の接続片２２が中ボディ１２の短手方向に沿って一列に並んだ状態で配置される。このため、各刃受ブロック１４１，１５１，１６１の電線接続部２０に対する電線２１の接続作業と、接続片２２に対する端子板１７の接続作業が行いやすくなるものである。
【００３０】
ここで、中ボディ１２の側壁１２ａ並びに収納部３１の壁３１ａには、ボディ２に設けられた複数の係止片３８がそれぞれ係止する係止凸部３９が外向きに突設されており、係止片３８を係止凸部３９に係止することでボディ２に対して中ボディ１２が係止固定される。
【００３１】
一方、中カバー１３は長尺の矩形箱形に形成されており、前面には平面視矩形の突台部１３ａが等間隔に４つ突設され、隣り合う突台部１３ａの間には円形の挿通孔１３ｂが設けられている。各突台部１３ａには円弧状の栓刃挿入口２８ａ，２８ｂ，２８ｃからなるコンセント口２８がそれぞれ貫設されている。また、中カバー１３の長手方向に沿った両側面には、後述するようにカバー３に設けられた一対の係止片４０がそれぞれ嵌合する一対の溝４１が形成されており、この溝４１に嵌合した係止片４０の先端部に設けられた係止爪４０ａが中カバー１３の端縁に係止することでカバー３に対して中カバー１３が固定されるようになっている。ここで中カバー１３を中ボディ１２に結合して中ケース１１を組み立てたとき、中ボディ１２の３つの固定リブ３６並びにボディ２の位置決めリブ６３の横片６３ｂ（後述する）との間で刃受２５の固定片２７を挟持する固定リブ７３が中カバー１３の背面側に突設されており、刃受ブロック１６１を確実に固定するようにしている（図５参照）。
【００３２】
他方のコンセントコアブロック１０２は、コンセントコアブロック１０１の刃受ブロック１４１，１５１，１６１とそれぞれ接続する刃受ブロック１４２，１５２，１６２と、これらの刃受ブロック１４２，１５２，１６２を収納する中ケース１１とを備える。但し、中ケース１１の構造は２つのコンセントコアブロック１０１，１０２で共通であるから説明は省略する。
【００３３】
刃受ブロック１４２，１５２，１６２は、図１０〜図１２に示すようにコンセントコアブロック１０１の刃受ブロック１４１，１５１，１６１と接続するための端子板１７をかしめ鋲１８で接続する接続片２２が一端部に設けられ、後述するハーネスコネクタ部４４の３つの刃受部４５に一端が接続された３本のリード線６をかしめ接続するリード線接続部２０’が設けられている。ここで、刃受ブロック１４２，１５２，１６２の構造は、刃受ブロック１４１，１５１，１６１における電線接続部２０と接続片２２の位置を入れ換えた構造と同一であるから詳細な説明は省略する。
【００３４】
上述のように構成される２つのコンセントコアブロック１０１，１０２は、互いの接続片２２同士を向き合わせるようにして長手方向に隣り合わせて配置され、その状態で矩形板状の端子板１７が、対向する各刃受ブロック１４１，１４２、１５１，１５２、１６１，１６２の接続片２２に前方から被せられ、端子板１７の両端に貫設された挿通孔１７ａと接続片２２に貫設されている挿通孔２２ａにかしめ鋲１８をそれぞれ挿通してかしめることで刃受ブロック１４１と１４２、１５１と１５２、１６１と１６２がそれぞれ結合されるものである。このように、端子板１７とかしめ鋲１８により刃受ブロック１４１…同士を結合するため、リード線７４を用いて接続する従来例に比較して刃受ブロック１４１…同士の位置が安定し、ハウジング１（中ケース１１）への組み込み作業がやり易くなるものである。
【００３５】
コンセントコアブロック１０２に接続されるハーネスコネクタ部４４は、差込側となるハーネスプラグの凹部に嵌合する挿着部４６がコネクタケース４７の前面に形成され、ハーネスプラグの３つの栓刃をそれぞれ受ける３つの刃受部４５を挿着部４６内に備え、挿着部４６をハーネスプラグの凹部に嵌合し、ハーネスプラグの栓刃を刃受部４５に挿入嵌合させて電気的な接続を行うものである。ここで差込側となるハーネスプラグについて簡単に説明する。この種のハーネスプラグは従来より周知であって、受け側となるハーネスコネクタ部４４の挿着部４６が嵌合される凹部がハウジングの前面に形成され、この凹部内には電線の芯線がそれぞれ基端部に接続される複数（本実施形態の場合であれば３本）の栓刃が先端部を凹部の開口に臨ませて配設されてなるものである。また、この種のハーネスプラグはハーネスコネクタ部４４との抜けを防止するために、挿着部４６に形成された係止溝５３に係止離脱自在に係止されるロック片を備えている。
【００３６】
ハーネスコネクタ部４４は、図１に示すようにハーネスプラグの凹部に装着される挿着部４６が前面に形成され、この挿着部４６の前面に形成された栓刃挿入口から挿入されるハーネスプラグの栓刃をそれぞれ受ける刃受部４５をコネクタケース４７の内部に備える構造となっている。コネクタケース４７は合成樹脂製のコネクタボディ４８及びコネクタカバー４９からなり、コネクタボディ４８にコネクタカバー４９を被着することでコネクタケース４７が構成される。
【００３７】
コネクタボディ４８は前面が開口する箱状に形成され、コネクタカバー４９と組み合わせた状態で挿着部４６となる前方収納部４６ａを、コネクタボディ４８の長手方向に沿って走る二条の隔壁５０により３つの収納空間に仕切ってあり、各収納空間内に刃受部４５が収められる。なお、隔壁５０はコネクタボディ４８の前方収納部４６ａから他端側まで刃受部４５の全長に渡って形成してある。そして、各収納空間に対応するコネクタボディ４８の前面部には栓刃挿入口５１となる凹部５１ａが形成してある。
【００３８】
刃受部４５は導電材料で形成され、栓刃を両側から挟み込むように対向する一対の挟持片４５ａを備え、この挟持片４５ａを中央部で連結し、さらにこの中央部から後方に延びる延設片の先端部を略Ｕ字形に湾曲させてなる接続片４５ｂを形成し、これらの接続片４５ｂに刃受ブロック１４２，１５２，１６２のリード線接続部２０’に一端が接続されたリード線６の他端をかしめ接続する構造としてある。また、刃受部４５中央部の下面からは、コネクタボディ４８に位置決めして仮固定する仮固定片４５ｃを一対突設してあり、コネクタボディ４８の隔壁５０により分離されたそれぞれの収納室の仮固定片４５ｃに対応する底面にはリブ（図示せず）を突設してあり、このリブを各仮固定片４５ｃの対向する内端に形成された爪内に圧入して、刃受部４５がコネクタボディ４８に仮固定される。このように、仮固定片４５ｃ及びリブを凹凸嵌合させることにより、刃受部４５をコネクタボディ４８に仮固定して、刃受部４５の取付状態を安定させることができ、コネクタボディ４８とコネクタカバー４９との組立作業を容易に行うことができる。なお、挟持片４５ａの中央部は互いにく字状に折曲して栓刃の保持力を強くする構造としてある。
【００３９】
一方、コネクタカバー４９の内部構造はコネクタボディ４８と略同様であり、コネクタカバー４９では、コネクタボディ４８の前方収納部４６ａと共に挿着部４６を構成する前方収納部の前面に、上記ハーネスプラグの凹部内に形成された突条が嵌まる逆差し防止溝５２と、ロック片の係止爪が係止される係止溝５３とを形成してある。
【００４０】
ところで、コネクタカバー４９の後方両側部には一対の係合凹所５４が設けられている。すなわち、コネクタボディ４８にコネクタカバー４９を結合した状態でコネクタケース４７をボディ２内に収納すると、ボディ２の底面から立設されている一対の係合片５５の先端に内向きに突出する係合爪５５ａがコネクタカバー４９の係合凹所５４にそれぞれ係合することにより、コネクタボディ４８とコネクタカバー４９の結合状態が保持されるようになっている（図６参照）。このようにコネクタボディ４８とコネクタカバー４９を結合状態に保持する保持手段をボディ２に設けているので、コネクタケース４７を構成する部品点数を削減することができるものである。
【００４１】
なお、ハーネスコネクタ部４４を使用しないときに栓刃挿入口５１から塵や埃等の異物が侵入するのを防ぐため、挿着部４６の先端には防塵カバー５６が着脱自在に装着されるようになっている（図１参照）。この防塵カバー５６は合成樹脂により一面が開口する矩形箱状に形成され、内底面の中央には栓刃挿入口５１に挿入される突片５６ａが設けられている。したがって、ハーネスコネクタ部４４にハーネスプラグを接続しないときには防塵カバー５６を装着して異物の侵入を防ぎ、ハーネスプラグを接続する際に防塵カバー５６を取り外せばよい。
【００４２】
次にハウジング１を構成するボディ２とカバー３について、さらに詳しく説明する。
【００４３】
ボディ２の長手方向に対向する一方の側面にはカバー３を結合したときにコード８０の引き出し口５８となる凹部５８ａが設けられ、この凹部５８ａに隣接するボディ２の一端側にはコード８０を支持する支持部５７が設けられている。また支持部５７の側方には立壁５９が設けられ、図４に示すように支持部５７に支持されたコード８０の電線２１は立壁５９を迂回してボディ２内に引き回されており、これによってコード８０が強く引っ張られた場合でも電線２１と刃受ブロック１４１，１５１，１６１の電線接続部２０との接続が緩んだり、外れたりすることが無いようにしている。なお、支持部５７の両側には組立ねじ４を挿通する挿通孔６０ａが貫通するボス６０がボディ２の底面より立設されている。
【００４４】
また立壁５９の内側には平面視略楕円形のねじ挿通孔６１ａが貫通した楕円ボス部６１が立設されている。さらにこの楕円ボス部６１よりも内側にはコンセントコアブロック１０１の中ケース１１に当接して位置決めする位置決めリブ６２，６３が互いに並行して突設されている。一方の位置決めリブ６２は平板状であって片側の端面が中ケース１１の切り溝３５が設けられた端面と当接する。他方の位置決めリブ６３は縦片６３ａと横片６３ｂにより平面視略Ｌ字形に形成され、中ケース１１の側面に縦片６３ａが当接し、横片６３ｂの先端に中ケース１１の外に露出している刃受２５の固定片２７が載置される（図４参照）。ここで、中ケース１１の外に露出する刃受ブロック１６１の導電体１９３に当接して支持する支持片６４がボディ２の内側面に設けてある。この支持片６４で支持することにより、中ケース１１の外に露出する刃受２５に差込プラグの接地極の栓刃を抜き差しする際に導電体１９３が変形するのを防ぐことができる。
【００４５】
ボディ２の長手方向のほぼ中央にはコンセントコアブロック１０１，１０２の位置決めと接続片２２の支持を兼ねた二条の支持リブ６５がボディ２の短手方向に沿って並設されている。これらの支持リブ６５はコンセントコアブロック１０１，１０２の中ケース１１の端面に当接して位置決めすると同時に、端子板１７によって結合された刃受ブロック１４１…の接続片２２が載置されるものである。ここで、支持リブ６５の先端に載置された３組の端子板１７及び接続片２２の間にはそれぞれを隔絶する一対の隔絶壁６６，６７が支持リブ６５を跨ぐように並設されている。隔絶壁６６は平板状に形成され、電圧極の刃受ブロック１４１，１５１間の絶縁距離を確保するものである。また、隔絶壁６７は縦壁６７ａと横壁６７ｂにより平面視略Ｌ字形に形成され、縦壁６７ａによって電圧極の刃受ブロック１５１と接地極の刃受ブロック１６１との絶縁距離を確保し、横片６７ｂの先端にコンセントコアブロック１０２の中ケース１１の外に露出している刃受２５の固定片２７が載置される（図４参照）。ここで、中ケース１１の外に露出する刃受ブロック１６２の導電体１９３に当接して支持する支持片６４がボディ２の内側面に設けてあり、中ケース１１の外に露出する刃受２５に差込プラグの接地極の栓刃を抜き差しする際に導電体１９３が変形するのを防いでいる。
【００４６】
またコンセントコアブロック１０２の中ケース１１のリード線接続部２０’が突出する側の端面に当接して位置決めする一対の位置決めリブ６８がボディ２の底面より突設されている。ここで、位置決めリブ６２，６３から位置決めリブ６８までのボディ２の内側面には、コンセントコアブロック１０１，１０２の中ケース１１の側面にそれぞれ当接して位置決めするリブ６９が適当な間隔をおいて設けられている。なお、位置決めリブ６２，６３と支持リブ６５とのほぼ中間の位置、及び支持リブ６５と位置決めリブ６８とのほぼ中間の位置にそれぞれボス６０が立設されており、中ボディ１２の底面に設けた挿通孔３４に挿通されるようになっている（図４参照）。また、位置決めリブ６８の外側にも楕円ボス部６１が立設されている。
【００４７】
ボディ２の長手方向に対向する他方の側面にはカバー３を結合したときに矩形の開口窓７０となる凹部７０ａが設けられ、この凹部７０ａからボディ２の外に挿着部４６を突出するようにしてハーネスコネクタ部４４が収納される。既に説明したようにボディ２にはハーネスコネクタ部４４のコネクタケース４７の結合状態を保持する一対の係合片５５が立設されている。また係合片５５の隣にはボス６０が立設されているが、このボス６０を逃げるためにコネクタケース４７の両側面には凹部４７ａが設けられている。
【００４８】
ところでボディ２の側面における凹部７０ａの両側には、ハーネスコネクタ部４４の挿着部４６を囲むように一対の突起状の保護部７１が一体に形成されている。この保護部７１の先端には挿着部４６に向かって内側に傾斜するテーパ面７１ａが形成されており、このテーパ面７１ａがハーネスプラグを挿着部４６に誘い込むためのガイド部となる。さらに一対の保護部７１はボディ２の背面側において平板状の保護壁７２で連結されている。
【００４９】
一方、カバー３の前面にはコンセントコアブロック１０１，１０２の突台部１３ａが後方から嵌合する窓孔５が一列に列設されている。またカバー３の長手方向の一端部にはボディ２の凹部５８ａとともに引き出し口５８を形成する凹部５８ｂ、コード８０を支持する支持部（図示せず）、楕円ボス部が設けられ、ボディ２の底面に立設されているボス６０と対向するカバー３の背面には、ボス６０の挿通孔６０ａに挿通した組立ねじ４が螺合するねじ孔を有したボスがそれぞれ立設されている。
【００５０】
また、カバー３の長手方向の他端部にはボディ２の凹部７０ａとともに開口窓７０を形成する凹部が設けられ、さらにボディ２の保護部７１と同一形状の保護部７１が一体に形成され、カバー３の保護部７１の先端にもガイド部となるテーパ面７１ａが形成されている。
【００５１】
既に説明したようにカバー３には係止片４０が設けられており、窓孔５に突台部１３ａを嵌合するようにして後方から中カバー１３をカバー３に取り付けると、係止片４０の先端の係止爪４０ａが中カバー１３の端縁に係止することでカバー３に対して中カバー１３が固定される。そして、中カバー１３を固定したカバー３をボディ２に被着し、ボディ２の後方から挿通孔６０ａに挿通した組立ねじ４を締め付けることでボディ２とカバー３が結合されてハウジング１が組み立てられる（図２参照）。このときボディ２及びカバー３の楕円ボス部６１のねじ挿通孔６１ａが連通してハウジング１を前後に貫通するねじ挿通孔４２が形成される。
【００５２】
ところで、上述のようにして組み立てられる本実施形態のコンセント装置は、図１４に示すように壁コンセント等に差込接続する差込プラグ８２をコード８０の先端に付設したコンセント装置Ａ１、若しくはハーネスコネクタ部４４に差込接続するハーネスプラグ８３をコード８０の先端に付設したコンセント装置Ａ２の２種類に分けられる。つまり、図１４に示すようにコンセント装置Ａ１の差込プラグ８２を壁コンセント等に差し込み、このコンセント装置Ａ１のハーネスコネクタ部４４にコンセント装置Ａ２のハーネスプラグ８３を差込接続してコンセント装置Ａ１にコンセント装置Ａ２を送り配線し、コンセント口２８を使用せずにコンセント装置の増設が行える。なお、ハーネスコネクタ部４４にはコンセント装置Ａ２以外にもハーネスプラグを具備する配線器具全般が接続可能であることはいうまでもない。
【００５３】
また、ハウジング１から突出するハーネスコネクタ部４４の挿着部４６を保護部７１で保護しているため、落下等の衝撃から挿着部４６並びにハーネスコネクタ部４４に接続されたハーネスプラグ８３を保護することができる。ここで、保護部７１の先端にはテーパ面７１ａが形成されているので、ハーネスプラグ８３の凹部を挿着部４６に誘い込むようにして接続が容易に行えるようになっている。なお、本実施形態では保護部７１を連結する保護壁７２をハウジング１の背面側に設けているため、図１５に示すように保護壁７２を設けない場合に比較して保護部７１の強度が向上するという利点を有している。また本実施形態では、刃受ブロック１４１，１５１，１６１の電線接続部２０をかしめ構造としたが、図１６に示すようにねじ止め式の電線接続部２０”を刃受ブロック１４１，１５１，１６１に設けるようにしても良い。
【００５４】
ところで本実施形態のコンセント装置は、ＥＩＡ（米国電子工業会）の規格（ＥＩＡ−３１０−Ｄ）やＪＩＳの規格（ＪＩＳ  Ｃ  ６０１０−２）などで規定されているラックのマウントフレームに固定され、ラックに収納されるラックマウント型のコンピュータやネットワーク機器等に電源を供給する用途に用いられる場合がある。このような場合に備えて、コンセント装置のハウジング１には上述のように楕円形のねじ挿通孔４２が設けられており、このねじ挿通孔４２に挿通する固定ねじをマウントフレームのねじ孔に螺合することでハウジング１が固定されるようになっている。なお、この種のラックは従来周知であるから、詳細な構造については図示並びに説明を省略する。
【００５５】
【発明の効果】
請求項１の発明は、複数対の栓刃挿入口が前面に開口した長尺形状のハウジングと、ハウジング内に納装されて各栓刃挿入口より挿入する栓刃を受ける複数対の刃受と、各刃受と接続されてハウジングの外に引き出されるコードと、コードの先端に付設されるプラグと、ハウジングの側面に設けられてハーネスプラグが挿抜自在に接続されるハーネスコネクタ部とを備え、ハーネスコネクタ部を栓刃と電気的に接続したので、電源タップ等のコンセント装置が有するハーネスプラグをハーネスコネクタ部に接続すれば簡単に増設が行えるとともに、増設の際に栓刃挿入口を使用しないから無駄がなく、使い勝手の向上が図れる。また、複数対の刃受の内で同極の刃受同士を導電体で連結してなる複数の刃受ブロックと、各刃受ブロックを収納する中ケースとでコンセントコアブロックを構成し、複数のコンセントコアブロックがハウジング内に隣接して納装され、コンセントコアブロックは各導電体の端部に設けられて中ケースの外部に突出する複数の接続片を有し、隣接するコンセントコアブロックの接続片同士をかしめ鋲によって各接続片に接続される端子板により接続したので、端子板とかしめ鋲で複数の刃受ブロックを結合しているために刃受ブロック同士の位置が安定し、ハウジング内への組み込み作業がやり易くなる。更に、ハウジングは、前面に栓刃挿入口が露出するカバー及びカバーが前面に被着されるボディにより形成され、ハーネスコネクタ部は、隣接するコンセントコアブロックの各導電体と電気的に接続されるとともにハーネスプラグが具備する接触子を受ける複数の受け部と、コネクタボディ及びコネクタカバーを結合してなり複数の受け部を収納するコネクタケースとを備え、ボディに設けられた係合部及びコネクタカバーに設けられた被係合部から成り、コネクタボディとコネクタカバーを結合状態した状態でコネクタケースをボディに収納することでコネクタボディとコネクタカバーとの結合状態を保持する保持手段を設けたので、ハーネスコネクタ部の構成部品点数を削減することができる。
【００５７】
請求項２の発明は、請求項１の発明において、隣接するコンセントコアブロックの接続片が、コンセントコアブロックの並び方向と直交する方向で一列に並べて設けられたので、刃受ブロック同士を結合するかしめ作業がやりやすくなる。
【００５８】
請求項３の発明は、請求項１又は２の発明において、コードが有する複数の電線をかしめ接続する電線接続部が何れかのコンセントコアブロックの導電体の端部に設けられ、中ケースより突出する各電線接続部が、コンセントコアブロックの並び方向と直交する方向で一列に並べて設けられたので、電線接続部のかしめ作業がやりやすくなる。
【００５９】
請求項４の発明は、請求項１又は２の発明において、コードが有する複数の電線をねじ止めにより接続する電線接続部が何れかのコンセントコアブロックの導電体の端部に設けられたので、請求項１又は２の発明と同様の効果を奏する。
【００６０】
請求項５の発明は、請求項１〜３の何れかの発明において、前面に栓刃挿入口が露出するカバー及びカバーが前面に被着されるボディによりハウジングが形成され、前面に栓刃挿入口が開口する中カバー及び中カバーが前面に被着される中ボディにより中ケースが形成され、中ボディ又は外ボディと中カバーとで挟持して固定される固定片を少なくとも何れか一つの刃受ブロックに設けたので、刃受ブロックをハウジング内で確実に固定することができる。
【００６２】
請求項６の発明は、請求項１〜５の何れかの発明において、ハーネスコネクタ部はハウジングより一部が突出するように設けられ、ハウジングから突出するハーネスコネクタ部を保護する保護部をハウジングの両側面に設けたので、ハウジングが突出するハーネスコネクタ部を落下等の衝撃から保護することができる。
【００６３】
請求項７の発明は、請求項６の発明において、保護部の先端にハーネスプラグをハーネスコネクタ部に誘い込むガイド部を設けたので、ハーネスプラグの接続が容易になる。
【００６４】
請求項８の発明は、請求項６又は７の発明において、ハウジングの両側面の保護部を連結するようにハウジングの背面にも保護部を設けたので、保護部の強度を向上することができる。
【図面の簡単な説明】
【図１】本発明の実施形態を示す分解斜視図である。
【図２】同上を示し、（ａ）は正面図、（ｂ）は側面図、（ｃ）は背面図、（ｄ）は右側面図である。
【図３】同上の斜視図である。
【図４】同上のカバーを外した状態の正面図である。
【図５】同上の一部省略した断面図である。
【図６】同上の断面図である。
【図７】同上における電圧極用の刃受ブロックを示し、（ａ）は平面図、（ｂ）は正面図、（ｃ）は左側面図、（ｄ）は右側面図である。
【図８】同上における電圧極用の刃受ブロックを示し、（ａ）は平面図、（ｂ）は正面図、（ｃ）は左側面図、（ｄ）は右側面図である。
【図９】同上における接地勅用の刃受ブロックを示し、（ａ）は平面図、（ｂ）は正面図、（ｃ）は左側面図である。
【図１０】同上における電圧極用の刃受ブロックを示し、（ａ）は平面図、（ｂ）は正面図、（ｃ）は左側面図である。
【図１１】同上における電圧極用の刃受ブロックを示し、（ａ）は平面図、（ｂ）は正面図、（ｃ）は右側面図である。
【図１２】同上における接地勅用の刃受ブロックを示し、（ａ）は平面図、（ｂ）は正面図、（ｃ）は左側面図である。
【図１３】同上における中カバーを外した状態のコンセントコアブロックを示し、（ａ）は正面図、（ｂ）は側面図である。
【図１４】同上の使用状態を示す平面図である。
【図１５】同上の他の構成を示す斜視図である。
【図１６】同上の他の構成を示すカバーを外した状態の正面図である。
【図１７】従来例を示し、（ａ）は正面図、（ｂ）は側面図、（ｃ）は背面図、（ｄ）は左側面図である。
【図１８】同上の断面図である。
【符号の説明】
１  ハウジング
２  ボディ
３  カバー
１０１，１０２  コンセントコアブロック
１１  中ケース
４４  ハーネスコネクタ部
８０  コード
【図１】
0004003539.tif 000002
【図２】
0004003539.tif 000003
【図３】
0004003539.tif 000004
【図４】
0004003539.tif 000005
【図５】
0004003539.tif 000006
【図６】
0004003539.tif 000007
【図７】
0004003539.tif 000008
【図８】
0004003539.tif 000009
【図９】
0004003539.tif 000010
【図１０】
0004003539.tif 000011
【図１１】
0004003539.tif 000012
【図１２】
0004003539.tif 000013
【図１３】
0004003539.tif 000014
【図１４】
0004003539.tif 000015
【図１５】
0004003539.tif 000016
【図１６】
0004003539.tif 000017
【図１７】
0004003539.tif 000018
【図１８】
0004003539.tif 000019